(57)【要約】      （修正有）【課題】脚部の摩耗を防ぎ、段積み時や運搬時の安全性を高めることができるとともに、交換の経費を節減することができる段積み容器用の継脚および段積み容器を提供する。【解決手段】容器本体１１が、下方に突出した脚部２５と、上部に設けられた上部開口２３とを有している。継脚１２が、下端が容器本体１１の脚部２５より下方に突出するよう、容器本体１１の脚部２５に着脱可能に取り付けられている。容器本体１１の脚部２５と継脚１２の下端とを、他の容器本体１１の上部開口２３に嵌合して複数を段積み可能に構成されている。【選択図】図１
0003152654.tif 000002
【実用新案登録請求の範囲】
【請求項１】
上部開口に他の同一形状の段積み容器の脚部を嵌合して段積み可能な段積み容器に取り付けられる継脚であって、
前記脚部は下部開口を有し、
下端を前記脚部より下方に突出させて前記脚部の下部開口に取り付け可能であり、前記脚部に取り付けたとき、他の同一形状の段積み容器の上部開口に挿入可能な大きさを有することを、
特徴とする段積み容器用の継脚。
【請求項２】
前記脚部は側壁にボルト孔を有し、
上部が前記脚部の前記下部開口から前記脚部の内部に挿入され、前記ボルト孔と対応する位置に取付孔を有し、前記ボルト孔と前記取付孔とを貫通するボルトおよび前記ボルトと螺合するナットにより前記脚部に固定可能であることを、
特徴とする請求項１記載の段積み容器用の継脚。
【請求項３】
上部開口に他の同一形状の段積み容器の脚部を嵌合して段積み可能な段積み容器であって、
前記上部開口と前記脚部とを有し、前記脚部は下部開口を有する容器本体と、
下端を前記脚部より下方に突出させて前記脚部の下部開口に着脱可能に取り付けられ、他の同一形状の段積み容器の上部開口に挿入可能な大きさを有する継脚とを、
有することを特徴とする段積み容器。
【考案の詳細な説明】
【技術分野】
【０００１】
本考案は、段積み容器用の継脚および段積み容器に関する。
【背景技術】
【０００２】
従来の運搬用の容器として、下方に突出した脚部と、上部に設けられた開口とを有し、開口に他の容器の脚部を嵌合して複数を段積み可能に構成された、コンテナ等の段積み容器がある（例えば、特許文献１参照）。このような段積み容器は、例えば、漁船からの水揚げ時などに使用され、トラックの荷台などに段積みして一度に複数を運搬することができる。
【先行技術文献】
【特許文献】
【０００３】
【特許文献１】特開2002-154598号公報
【考案の概要】
【考案が解決しようとする課題】
【０００４】
特許文献１に記載のような段積み容器は、フォークリフトなどを使用せず、舗装路面を引きずって移動させることが多く、それにより脚部が摩耗するという課題があった。脚部が摩耗すると、段積みするとき、下部の容器の開口に、上部の容器の脚部が嵌合しないため、段積み時や運搬時に、上部の容器が滑落して危険であるという課題もあった。また、このため、容器としての機能を有しているにもかかわらず、脚部が摩耗した容器を交換しなければならず、その費用が嵩むという課題もあった。
【０００５】
本考案は、このような課題に着目してなされたもので、脚部の摩耗を防ぎ、段積み時や運搬時の安全性を高めることができるとともに、段積み容器の寿命を延ばして交換の経費を節減することができる段積み容器用の継脚および段積み容器を提供することを目的とする。
【課題を解決するための手段】
【０００６】
上記目的を達成するために、本考案に係る段積み容器用の継脚は、上部開口に他の同一形状の段積み容器の脚部を嵌合して段積み可能な段積み容器に取り付けられる継脚であって、前記脚部は下部開口を有し、下端を前記脚部より下方に突出させて前記脚部の下部開口に取り付け可能であり、前記脚部に取り付けたとき、他の同一形状の段積み容器の上部開口に挿入可能な大きさを有することを、特徴とする。
【０００７】
本考案に係る段積み容器用の継脚は、段積み容器の脚部に取り付けたとき、下端が脚部より下方に突出するため、段積み容器を引きずっても、下端が路面と接触して摩耗し、脚部が摩耗するのを防ぐことができる。また、段積み容器の脚部に取り付けたとき、下端が脚部とともに、他の段積み容器の開口に挿入可能であるため、段積み容器に取り付けたままで、段積み容器を段積みすることができる。
【０００８】
本考案に係る段積み容器用の継脚は、下端が摩耗しても、段積み容器の脚部が摩耗せずに残るため、段積みするとき、下部の段積み容器の開口に、上部の段積み容器の脚部を嵌合させることができる。このため、段積み時や運搬時に、上部の段積み容器が滑落するのを防止し、安全性を高めることができる。
【０００９】
本考案に係る段積み容器用の継脚は、下端の摩耗状態に応じて、新しいものに交換することにより、段積み容器の脚部の摩耗を半永久的に防止することができ、段積み容器自体の寿命を延ばすことができる。これにより、容器としての機能を有している限り、段積み容器自体を交換する必要がなく、交換の経費を節減することができる。
【００１０】
本考案に係る段積み容器用の継脚は、取り付ける段積み容器の脚部や、開口に合わせた形状に形成することにより、様々な形状・サイズの段積み容器に取り付けて使用することができる。
【００１１】
本考案に係る段積み容器用の継脚は、段積み容器の前記脚部が側壁にボルト孔を有するとき、上部が前記脚部の前記下部開口から前記脚部の内部に挿入され、前記ボルト孔と対応する位置に取付孔を有し、前記ボルト孔と前記取付孔とを貫通するボルトおよび前記ボルトと螺合するナットにより前記脚部に固定可能であることが好ましい。この場合、段積み容器の脚部に、着脱可能かつ強固に固定することができる。また、本考案に係る段積み容器用の継脚は、段積み容器の脚部が側壁に当初からボルト孔を有していなくとも、上部を脚部の下部開口から脚部の内部に挿入した後、継脚の側壁と脚部の側壁とを貫通する１または複数のボルト孔を設け、そのボルト孔を貫通するボルトおよびそのボルトと螺合するナットにより脚部に固定可能であってもよい。また、ボルトとナットでなくとも、孔に挿入後、先端を拡げることにより固定可能なアンカー式の固定具により固定されてもよい。
【００１２】
本考案に係る段積み容器用の継脚は、段積み容器の脚部の側壁内面に１または複数の半球状の凸部を有し、上部が脚部の下部開口から脚部の内部に挿入されたとき、その凸部と対応する位置に凸部と嵌合可能な凹部を有し、凸部と凹部とを嵌合させて脚部に固定可能に構成されていてもよい。また、継脚の側壁外面に１または複数の半球状の凸部を有し、脚部の側壁内面に凹部を有していてもよい。このように、本考案に係る段積み容器用の継脚は、段積み容器の脚部に着脱可能に固定できれば、いかなる方法で固定されてもよい。
【００１３】
本考案に係る段積み容器は、上部開口に他の同一形状の段積み容器の脚部を嵌合して段積み可能な段積み容器であって、前記上部開口と前記脚部とを有し、前記脚部は下部開口を有する容器本体と、下端を前記脚部より下方に突出させて前記脚部の下部開口に着脱可能に取り付けられ、他の同一形状の段積み容器の上部開口に挿入可能な大きさを有する継脚とを、有することを特徴とする。
【００１４】
本考案に係る段積み容器は、容器本体の脚部に継脚が取り付けられており、継脚の下端が容器本体の脚部より下方に突出しているため、引きずっても、継脚の下端が路面と接触して摩耗し、容器本体の脚部が摩耗するのを防ぐことができる。また、継脚の下端が脚部とともに、他の容器本体の開口に挿入可能であるため、容器本体に継脚を取り付けたままで段積みすることができる。
【００１５】
本考案に係る段積み容器は、継脚の下端が摩耗しても、容器本体の脚部が摩耗せずに残るため、段積みするとき、下部の容器本体の開口に、上部の容器本体の脚部を嵌合させることができる。このため、段積み時や運搬時に、上部の段積み容器が滑落するのを防止し、安全性を高めることができる。
【００１６】
本考案に係る段積み容器は、継脚の下端の摩耗状態に応じて、継脚を新しいものに交換することにより、容器本体の脚部の摩耗を半永久的に防止することができ、容器本体の寿命を延ばすことができる。これにより、容器としての機能を有している限り、容器本体を交換する必要がなく、交換の経費を節減することができる。
【００１７】
本考案に係る段積み容器は、継脚を、取り付ける容器本体の脚部や、開口に合わせた形状に形成することにより、様々な形状・サイズの容器本体に取り付けて使用することができる。容器本体は、例えば、コンテナなどの運搬用容器から成っている。
なお、継脚の底部には、磨耗強度の高い材質が貼り付けられていてもよい。また、継脚の底部は、用途に応じて、滑りやすくなっていても、滑りにくくなっていてもよい。
【考案の効果】
【００１８】
本考案によれば、脚部の摩耗を防ぎ、段積み時や運搬時の安全性を高めることができるとともに、交換の経費を節減することができる段積み容器用の継脚および段積み容器を提供することができる。
【図面の簡単な説明】
【００１９】
【図１】本考案の実施の形態の段積み容器用の継脚および段積み容器を示す（ａ）正面図、（ｂ）部分拡大図である。
【図２】図１に示す段積み容器用の継脚の（ａ）正面図、（ｂ）左側面図、（ｃ）平面図である。
【図３】図２に示す段積み容器用の継脚の（ａ）Ａ−Ａ’線断面図、（ｂ）Ｂ−Ｂ’線断面図である。
【考案を実施するための形態】
【００２０】
以下、図面に基づき本考案の実施の形態について説明する。
図１乃至図３は、本考案の実施の形態の段積み容器用の継脚および段積み容器を示している。
図１に示すように、段積み容器１０は、容器本体１１と継脚１２とを有している。
【００２１】
図１に示すように、容器本体１１は、一体成型のポリプロピレン製のコンテナから成っている。容器本体１１は、矩形板状の底部２１と４つの側壁２２とで囲まれた収納部を有する箱型に形成され、上部開口２３を有している。容器本体１１は、底部２１に、上に凸の１対の溝２４を有している。各溝２４は、容器本体１１の長さ方向の中心線に対して対称な位置に、側面からフォークリフトの１対の爪を挿入可能に、容器本体１１の幅方向に沿って伸びるよう設けられている。
【００２２】
容器本体１１は、各溝２４の外側に位置する底部２１の四隅に、下方に突出した４つの脚部２５を有している。各脚部２５は、底面形状が矩形枠状で、下方に下部開口を有する中空形状を成している。なお、容器本体１１は、各溝２４に、フォークリフトの各爪を挿入することにより、フォークリフトで持ち上げて運搬可能になっている。また、容器本体１１は、脚部２５を他の同一形状の容器本体１１の上部開口２３に嵌合して複数を段積み可能に構成されている。容器本体１１は、市販のコンテナであってもよく、図１に示す具体的な一例では、１トンタイプの大型コンテナから成っている。
【００２３】
図１乃至図３に示すように、継脚１２は、一体成型の合成樹脂製で、直方体の外形を有し、下方に開口を有する中空形状を成している。継脚１２は、下端に、開口の周縁に沿って外側に突出したフランジ部３１を有している。継脚１２は、上部を各脚部２５の下部開口から各脚部２５の内部に挿入可能であり、各脚部２５の奥まで挿入したとき、側面が各脚部２５の内面に接する大きさに形成されている。また、継脚１２は、各脚部２５の内部に形成されている梁の形状に合わせて、上面および側面に複数の溝３２が形成されている。継脚１２は、上部を各脚部２５の奥まで挿入したとき、下端のフランジ部３１が各脚部２５の下端に連続して、下方に突出するようになっている。各脚部２５は、側壁２２にボルト孔を有している。継脚１２は、各脚部２５のボルト孔と対応する位置に取付孔を有している。継脚１２は、各脚部２５のボルト孔と取付孔とを貫通する４本のステンレス製のボルト、および各ボルトと螺合するナットにより４つの側面で各脚部２５に着脱可能に固定されている。
【００２４】
段積み容器１０は、容器本体１１の脚部２５と継脚１２の下端のフランジ部３１とを、他の容器本体１１の上部開口２３に嵌合して複数を段積み可能に構成されている。
【００２５】
次に、作用について説明する。
段積み容器１０は、容器本体１１の脚部２５に継脚１２が取り付けられており、継脚１２の下端のフランジ部３１が容器本体１１の脚部２５より下方に突出しているため、引きずっても、継脚１２の下端のフランジ部３１が路面と接触して摩耗し、容器本体１１の脚部２５が摩耗するのを防ぐことができる。また、継脚１２の下端のフランジ部３１が脚部２５とともに、他の容器本体１１の上部開口２３に挿入可能であるため、容器本体１１に継脚１２を取り付けたままで段積みすることができる。
【００２６】
段積み容器１０は、継脚１２の下端のフランジ部３１が摩耗しても、容器本体１１の脚部２５が摩耗せずに残るため、段積みするとき、下部の容器本体１１の上部開口２３に、上部の容器本体１１の脚部２５を嵌合させることができる。このため、段積み時や運搬時に、上部の段積み容器１０が滑落するのを防止し、安全性を高めることができる。
【００２７】
段積み容器１０は、継脚１２の下端のフランジ部３１の摩耗状態に応じて、継脚１２を新しいものに交換することにより、容器本体１１の脚部２５の摩耗を半永久的に防止することができ、容器本体１１の寿命を延ばすことができる。これにより、容器としての機能を有している限り、容器本体１１を交換する必要がなく、交換の経費を節減することができる。
【００２８】
段積み容器１０は、継脚１２を、取り付ける容器本体１１の脚部２５や、上部開口２３に合わせた形状に形成することにより、様々な形状・サイズの容器本体１１に取り付けて使用することができる。
【符号の説明】
【００２９】
１０  段積み容器
１１  容器本体
２１  底部
２２  側壁
２３  上部開口
２４  溝
２５  脚部
１２  継脚
３１  フランジ部
３２  溝
【図１】
0003152654.tif 000003
【図２】
0003152654.tif 000004
【図３】
0003152654.tif 000005